(57)【要約】【課題】簡単に使用できる双方向式マルチメディア編集器及びその編集方法を提供し互換性の高いファイルを生成する。【解決手段】マルチメディア双方向編集器200は、ユーザがテンプレートモジュール222及び素材データ232を編集するためのユーザインターフェース250を介し、テンプレートモジュール222のテンプレートパラメータとテンプレート素子224のテンプレート素子パラメータを選択的に修正し、テンプレート素子パラメータを選択的に利用してテンプレート素子224と双方向エリア210の双方向な関係を確立する。編集器200はさらに、素材データ232を選択的にプレビューエリア254に関連添加し、素材データ232の素材パラメータを選択的に修正する。編集器200の転換メカニズム240は、テンプレートモジュール222と素材データ232をマルチメディア情報に転換する。【選択図】図２
2007104627.tif 000002
【特許請求の範囲】
【請求項１】
双方向エリアと少なくとも一つの修正可能なテンプレート素子パラメータを有する少なくとも一つのテンプレート素子とを含み、少なくとも一つの修正可能なテンプレートパラメータを有するテンプレートモジュール、及び、少なくとも一つの素材パラメータを有する少なくとも一つの素材データをユーザに選択させること、
選択された前記素材データをプレビューエリアに関連づけること、
前記テンプレートパラメータと前記テンプレート素子パラメータを選択的に修正すること、
選択されたテンプレート素子パラメータを介して前記テンプレート素子と前記双方向エリアの双方向な関係を設定すること、
前記素材データの素材パラメータを選択的に修正すること、
前記素材データ及び前記テンプレートモジュールに基づき、マルチメディア情報を出力すること、
を備えることを特徴とするテンプレート式マルチメディア編集方法。
【請求項２】
双方向エリアと少なくとも一つの修正可能なテンプレート素子パラメータを有する少なくとも一つのテンプレート素子とを含み、少なくとも一つの修正可能なテンプレートパラメータを有するテンプレートモジュールと、
少なくとも一つの修正可能な素材パラメータを有する少なくとも一つの素材データを有する素材データベースと、
データの転換演算を行うために用いる転換メカニズムと、
プレビューエリアによりユーザが前記テンプレートモジュール及び前記素材データを編集できるようにするためのユーザインターフェースと、
前記ユーザインターフェースを介し、前記テンプレートパラメータと前記テンプレート素子パラメータを選択的に修正し、テンプレート素子属性を選択的に利用して前記テンプレート素子と前記双方向エリアの双方向な関係を確立し、ユーザのドラッグアンドドロップ操作に従って前記素材データを選択的に前記プレビューエリアに関連添加し、前記素材データの素材パラメータを選択的に修正する手段とを備え、
前記転換メカニズムは、前記テンプレートモジュール及び前記素材データをマルチメディア情報に転換することを特徴とするテンプレート式マルチメディア双方向編集器。
【請求項３】
前記テンプレートモジュールは、前記テンプレート素子に基づき事前分類された少なくとも一つのテンプレートモジュールを有するテンプレートモジュールデータベースから選ばれることを特徴とする請求項２に記載の編集器。
【請求項４】
前記事前分類される前記テンプレートモジュールは、基本テンプレート、双方向テンプレート、人気テンプレート及び画像再生テンプレートのうち少なくとも一つを含むことを特徴とする請求項３に記載の編集器。
【請求項５】
前記テンプレート素子パラメータは、前記テンプレート素子の分類に基づき区分され、素子位置、素子サイズ、リンク、及びアニメーションのうち少なくとも一つを含むことを特徴とする請求項３に記載の編集器。
【請求項６】
前記テンプレートパラメータは、背景サイズ、背景色、背景図、及びバックグラウンドミュージックのうち少なくとも一つを含むことを特徴とする請求項２に記載の編集器。
【請求項７】
前記テンプレート素子パラメータは、画像リンクデータ、音楽リンクデータ、及び画像変化データのうち少なくとも一つを含むことを特徴とする請求項２に記載の編集器。
【請求項８】
前記素材データが文字データであり、かつ該素材パラメータが、文字位置、文字サイズ、文字色、及び縮尺比例のうち少なくとも一つを含むことを特徴とする請求項２に記載の編集器。
【請求項９】
前記素材データが画像データであり、かつ該素材パラメータが、画像位置及び画像サイズのうち少なくとも一つを含むことを特徴とする請求項２に記載の編集器。
【請求項１０】
前記素材データが動画データであり、かつ該素材パラメータが、画像位置、画像サイズ、縮尺比例、再生時間、終了時間、及び循環再生のうち少なくとも一つを含むことを特徴とする請求項２に記載の編集器。
【請求項１１】
前記素材データがアニメーションデータであり、かつ該素材パラメータが、画像位置、画像サイズ、移動パス、縮尺比例、再生時間、終了時間、及び循環再生のうち少なくとも一つを含むことを特徴とする請求項２に記載の編集器。
【請求項１２】
前記素材データが音声データであり、かつ該素材パラメータが、音声サイズ、音声形態、再生時間、終了時間、及び循環再生のうち少なくとも一つを含むことを特徴とする請求項２に記載の編集器。
【請求項１３】
前記素材データは、文字データ、画像データ、動画データ、アニメーションデータ、音声データ、及び前述の組み合わせのうち少なくとも一つを含むことを特徴とする請求項２に記載の編集器。
【請求項１４】
マルチメディア編集に用いるプログラムコードを保存し、コンピュータにて前記プログラムコードを読み取り可能なメディアであって、
前記コンピュータが前記プログラムコードを読み取る時に、
双方向エリアと少なくとも一つの修正可能なテンプレート素子パラメータを有する少なくとも一つのテンプレート素子とを含み、少なくとも一つの修正可能なテンプレートパラメータを有するテンプレートモジュール、及び、少なくとも一つの素材パラメータを有する少なくとも一つの素材データをユーザに選択させる処理、
選択された前記素材データをプレビューエリアに関連づける処理、
前記テンプレートパラメータと前記テンプレート素子パラメータとを選択的に修正する処理、
前記テンプレート素子パラメータを選択的に利用して前記テンプレート素子と前記双方向エリアの双方向な関係を確立する処理、
前記素材データの素材パラメータを選択的に修正する処理、
前記素材データ及び前記テンプレートモジュールに基づき、マルチメディア情報を出力する処理、
を実行することを特徴とするメディア。
【発明の詳細な説明】
【技術分野】
【０００１】
本発明は、素材データをテンプレートモジュールに関連付け、マルチメディア情報を生成するマルチメディア双方向編集器及びその編集方法に関する。
【背景技術】
【０００２】
科学技術の進歩と発展に伴い、各種の応用環境において、デジタル化がすでに趨勢となっている。日常生活を例にすると、各種デジタル信号を処理することができるコンピュータ以外に、例えばデジタルカメラ、デジタルビデオカメラ、デジタルテレビ、デジタルプレーヤーなどの各種各様の製品がある。しかし、デジタル化の過程に伴い、克服が必要な問題も存在している。例を挙げれば、各種各様のデジタル形式とコードが次々と生み出され、例えばデジタル画像、デジタル音声、デジタル映像及び各種の圧縮形式だけでなく、文字ファイルさえも、ＢＩＧ５、ユニコード、ＡＳＣＩＩなどの異なるコードがある。そのため、マルチメディア情報を編集する際に、各種の異なる種類のデジタルデータを統合する必要がある。従って、各種のファイル形式の間の転換によって生じる問題がより重大になっている。
【０００３】
近年、ユーザは様々なマルチメディア情報を受け入れることができるようになり、単純な文字または音声で引き付けることはできなくなってきている。双方向なマルチメディアアプリケーションなど、マルチメディア情報の品質に対する要求も一段と高くなってきている。双方向なマルチメディアの応用は非常に広範で、最もよく見られる例としては、各種の双方向式マルチメディア教育、双方向式マルチメディアウェブサイト、双方向式マルチメディア情報キオスク（Ｋｉｏｓｋ）、双方向式マルチメディアビデオまたは番組などがある。しかし、マルチメディア情報の製作は、往々にして多くの学習や知識を必要とし、例えば、複雑な編集機器またはソフトウェア並びに上述の各種の異なるファイル形式及びコードの理解があって、異なるファイル形式に対し、各種の異なる処理を行うことが可能となる。
【特許文献１】台湾特許第４２０７７５号
【発明の開示】
【発明が解決しようとする課題】
【０００４】
デジタルデータの内容を修正する時、従来の編集器は、使用上非常に不便であり、ユーザが表現しようとするデータの内容を簡単に表現することができず、使用上困難な障害がある。図１Ａは、公知のマルチメディア編集システムである。ユーザは先ず各種の異なるデータタイプを分析し、異なるデータについて対応する処理を行う。例えば、図１Ａでは、画像データ１０２と文字データ１０４の２種類のデータタイプを挙げている。ユーザは先ず、画像データ１０２の特性に基づき、対応する画像データ転換器１０６を選択する。例を挙げれば、画像データ１０２でよく見られるファイル形式には、ＧＩＦ、ＪＰＧ、ＢＭＰ、ＰＮＧ、ＰＳＤなどがある。同じタイプのファイル形式であっても、バージョンまたはコードが異なる場合がある。同様に、ユーザは、文字データ１０４の特性に基づき、対応する文字データ転換器１０８を選択する。図は２種類のファイル形式タイプを例としているが、画像データ、映像データなど、統合する必要のあるファイル形式タイプが増えると、より多種のデータ転換器が必要となる。このことによっても、ユーザの判断上の困難と使用上の複雑さが増加する。転換後のデータは、マルチメディア転換プログラム１０９により統合された後、応用プログラム専用のファイル形式１１０が出力される。各種のマルチメディア転換プログラムに各自専用のファイル形式１１０があることも、ファイル形式の転換を行う上で困難さを生じさせる要因となっている。
【０００５】
図１Ｂは、公知のマルチメディア編集方法を示すフローチャートである。同図に従って、公知の方法における別の面の問題を説明する。ユーザは先ず、手順１１２で、音声または映像データなどの必要なファイルを選択する。これらのファイルは、事前に上述のファイル形式転換を行っている可能性があるが、ここでは繰り返し説明しない。手順１１４で、ユーザは選択したファイルの特性に基づき、マルチメディア編集器でマルチメディア情報を編集する時に使用する部分のプログラムコードを修正する。例を挙げれば、双方向式マルチメディアウェブサイトの編集を行う時、ユーザはＨＴＭＬのタグ、またはその他のスクリプト言語を理解する必要がある。手順１１６で、マルチメディア編集器は、ユーザが修正したプログラムコードに従って、ファイル形式の転換を行う。最後に、手順１１８において対応するマルチメディア情報が生成される。
【０００６】
上述の双方向式マルチメディアアプリケーションにおいて、マルチメディア情報の内容の提供者は、通常、原稿編集者、幼児教育者、カメラマン、録音技術者、画像処理者、クリエーティプ産業に携わる者など多岐に渡る。しかし、これらの人員は、必ずしも上述のプログラムコードの修正、及びファイル形式の間の差異と転換を熟知しているわけではない。そのため、マルチメディア情報の製作上、効率が低くなり、製作が難しくなるという問題が生じている。一部の技術が提案され、上述の問題の解決を試みているが、いずれも多くの欠点がある。例を挙げれば、特許文献１、発明の名称「双方向式マルチメディア展示ソフトウェア編集システム」において、情景と主題のファイルを利用してマルチメディア編集を簡略化する編集システムが開示されている。しかし、ユーザが選択できる情景は一つの背景画面しかなく、より詳細な編集と調整を行うことができない。かつ各種のファイルをロードした後で生成されるマルチメディアファイルも、再生の展示効果しか提供することができず、ユーザとの良好な双方向性を達成していない。さらに、マルチメディアシステム編集によって生成されるファイルは、該システム専属の形式であり、ファイルの流通と応用上、非常に不便である。
【０００７】
本発明は、互換性の高いファイルを生成することができ、かつ簡単に使用することができる有用な双方向式マルチメディア編集器及びその編集方法を提供する。
【課題を解決するための手段】
【０００８】
テンプレート式マルチメディア双方向編集器及び編集方法を開示する。編集器には、テンプレートモジュール、素材データ、転換メカニズム、及びユーザインターフェースが含まれる。テンプレートモジュールには、双方向エリアと少なくとも一つのテンプレート素子とが含まれ、テンプレートモジュールは、少なくとも一つの修正可能なテンプレートパラメータを有し、かつテンプレート素子は、少なくとも一つの修正可能なテンプレート素子パラメータを有する。素材データベースは、少なくとも一つの素材データを有し、かつ素材データは、少なくとも一つの修正可能な素材パラメータを有する。転換メカニズムは、データの転換演算を行うために用いられる。ユーザインターフェースは、プレビューエリアを提供し、ユーザはテンプレートモジュール及び素材データを編集することができる。ユーザは、テンプレートパラメータとテンプレート素子パラメータを選択的に修正し、テンプレート素子属性を利用して、テンプレート素子と双方向エリアの双方向な関係を確立する。ユーザは、選択的にドラッグアンドドロップ操作により、素材データをプレビューエリアに関連添加し、素材データの素材パラメータを選択的に修正する。転換メカニズムは、テンプレートモジュールと素材データをマルチメディア情報に転換するのに用いられる。
【０００９】
本発明は、次の手順（処理）を含むテンプレート式のマルチメディア編集方法を提供する。少なくとも一つの修正可能なテンプレート素子パラメータを有する少なくとも一つのテンプレート素子を有し、少なくとも一つの修正可能なテンプレートパラメータを有するテンプレートモジュールをユーザに選択させる。少なくとも一つの素材パラメータを有する少なくとも一つの素材データをユーザに選択させる。選んだ素材データをプレビューエリアに関連付ける。テンプレートパラメータとテンプレート素子パラメータを選択的に修正し、テンプレート素子属性を利用して、テンプレート素子と双方向エリアの双方向な関係を確立する。素材データの素材パラメータを選択的に修正する。素材データ及びテンプレートモジュールに基づき、マルチメディア情報を出力する。
【００１０】
当業者が本発明をより明確に理解するために、本文で使用する用語を次のとおり定義するが、これらの説明は、本発明を制限するものではない。
［用語］
テンプレートモジュール：一連の事前の編集と整理を介し、各種の状況と目的により製作されたレイアウトについて、適切な表示方式で、ユーザに迅速で便利なマルチメディア編集方式を提供するためのもの。
【００１１】
テンプレート素子：各テンプレートモジュールには、少なくとも一つのテンプレート素子が含まれる。テンプレート素子は、画像、動画、アニメーション、音声などのデータを含む。テンプレート素子には、ユーザの動作に対応したリンク、影響変化、及び各種効果を設定することができる。
【００１２】
素材データ：文字、画像、動画、アニメーション、音声、及び前述の組み合わせなどの編集に用いるデータ。ユーザは、直接的な操作により、素材データをインポート、追加、または削除することができる。（テンプレートモジュール、テンプレート素子、及び素材データについては、次の発明を実施するための最良の形態で詳しく述べる）。
【００１３】
テンプレートパラメータ：テンプレートに対し種々のカスタム化した設定、主に、テンプレート背景サイズ、背景色、背景図、及びバックグラウンドミュージックなどのテンプレートの基本属性に関する設定を行うために用いられるパラメータ。
【００１４】
テンプレート素子パラメータ：テンプレート内に置かれたテンプレート素子に対し種々のカスタム化した設定を行うために用いられるパラメータ。異なるテンプレート素子に対しては、各自異なるテンプレート素子属性が設定される。例えば、ボタン素子には、「ボタン画像リンク」、「マウス音楽クリック」、「マウス画像変化クリック」などの異なるパラメータをもたせることができる。
【００１５】
素材パラメータ：各種の異なる素材データに対し種々のカスタム化した調整を提供し、素材内容を表現するために用いられるパラメータ。例えば、音楽タイプの素材データには、「音量サイズ」、「リピート再生」などのパラメータをもたせることができる。
【００１６】
プレビューエリア：テンプレートモジュール、素材データを保存する共用編集領域であり、マルチメディアファイルの結果として出力し、編集プレビューの領域を提供する。
レイアウト：画面ウインドウまたは出力印刷のサイズと様式など、一定規則により定義された表現方式。
【００１７】
双方向エリア：テンプレートモジュールの中にある専属領域。テンプレート素子属性の設定に基づきテンプレート素子との双方向な関係が確立され、編集双方向エリアメカニズムが構築される。例えば、ユーザがテンプレート素子を押すと、双方向エリアがユーザの操作に対し、すぐに反応し、変化する。
【００１８】
画像：本文において、画像、図、図形とは、静止画像データであり、モノクロ画像、インデックス色画像、フルカラー画像などを含む。
動画：物理的な画面を利用し、時間残像の方式で、動態効果を生み出す画像であり、例えば、ＡＶＩ、ＭＰＥＧ、ＤＡＴ、ＷＭＶなどの動画圧縮形式が含まれる。
【００１９】
アニメーション：手描き及びコンピュータで製作した画面を含む自製の図を一定の時間間隔でつなぎ、動態効果をもたせるようにした図。例えばアニメーションＧＩＦが含まれる。
【００２０】
専属ファイル形式：データを事先に定義したデータ形式に転換して保存し、特定のアプリケーションプログラムで使用、読み取り、または修正できるようにしたファイル形式。
公開ファイル形式：本文では、公開ファイル形式とは、一般に広範に運用されているファイル形式をいい、例えばＨＴＭＬ、ＭＰＥＧ、ＭＰ３、ＪＰＧ、ＢＭＰなどの標準的なファイル形式をいう。但し、フラッシュのＳＷＦファイル、ＰＤＦファイルなど、いくつかの専属ファイル形式は、本文で定義した公開ファイル形式にも含まれる。
【００２１】
フラッシュファイル：マクロメディア社が開発し定義したファイル形式であり、主にベクターグラフィクスにより画像、アニメーション、文字などのデータを表現するために使用される。文字を拡大したことにより歪むことがなく、現在広範に使用されているマルチメディアファイル形式である。
【００２２】
ＸＭＬ（エクステンシブル・マークアップ・ランゲージ）：ＸＭＬは、構造的情報をもつ電子ドキュメントを標示するための標記言語である。ＸＭＬは、国際標準であるＳＧＭＬ（スタンダード・ジェネラライズド・マークアップ・ランゲージ）−国際標準化機構ＩＳＯ８８７９：１９８６によって制定されたものである。ＸＭＬの形式は、ＨＴＭＬに似ているが、自ら定義したタグ及びドキュメント構造を使用することができ、データベースからデータを取得することができ、さらにＸＭＬを用いてシリアル化の作業を行うことができる。
【発明の効果】
【００２３】
デジタルデータからマルチメディア情報を開発する手順を簡略し、開発時間を節約し、デジタルコンテンツの編集上の困難さを低減することができる。また、事前にレイアウトしたテンプレート形式を利用し、各種の素材データを合わせ、編集と修正を行い、マルチメディアデジタルコンテンツの製作と応用を迅速に完成させることができる。
【発明を実施するための最良の形態】
【００２４】
図２は、本発明の具体的な実施例のテンプレート式マルチメディア双方向編集器２００である。編集器２００には、テンプレートモジュールデータベース２２０、素材データベース２３０、転換メカニズム２４０、及びユーザインターフェース２５０が含まれる。テンプレートモジュールデータベース２２０は、双方向エリア２１０と少なくとも一つのテンプレートモジュール２２２とを有し、かつテンプレートモジュール２２２は、少なくとも一つのテンプレート素子２２４を有す。プレビューエリア２５４はプレビュー編集エリアを提供し、テンプレートモジュール、素材データを保存することができる。素材データベース２３０は、少なくとも一つの素材データ２３２を有す。なお、本案施例のうち編集器２００は、ソフトウェアプログラムの方式で実施され、コンピュータで編集の動作を実行する。但し、当業者には分かるように、本発明は、編集器２００の特徴と機能を実行可能なプログラムコードをもつ電子デバイスとして実施することも可能である。テンプレートモジュール２２２は、少なくとも一つの修正可能なテンプレートパラメータを有し、テンプレート素子２２４は、少なくとも一つの修正可能なテンプレート素子パラメータを有する。素材データ２３２は、少なくとも一つの修正可能な素材パラメータを有する。ユーザインターフェース２５０は、テンプレートモジュール２２２及び素材データ２３２を提供する。編集器２００の動作と素子の間のさらに詳細な関係と特徴について、次に詳しく述べる。
【００２５】
図３は、本発明による具体的な実施例の編集方法３００である。図２及び図３に従って、本発明の編集手順を説明する。手順３１０で、ユーザはテンプレートモジュール２２２を選ぶ。手順３２０で、ユーザはテンプレート素子属性を修正し、テンプレート素子と双方向エリアのリンク関係を確立する。手順３３０で、ユーザは少なくとも一つの素材データ２３２を選ぶ。手順３４０で、ユーザは選んだ素材データ２３２をプレビューエリア２５４に関連付ける。例えば、ユーザインターフェース２５０を介し、ドラッグアンドドロップ操作によって完了する。手順３５０で、ユーザはテンプレートパラメータとテンプレート素子パラメータを選択的に修正し、テンプレート素子属性を利用して、テンプレート素子と双方向エリアの双方向な関係を確立する。手順３６０で、ユーザは素材パラメータを選択的に修正する。手順３７０で、素材データ２３２及びテンプレートモジュール２２２を元にマルチメディア情報を生成して出力する。なお、上述した手順は、本発明を説明するために列挙されたものであり、本発明の実施方式を制限するものではない。例えば、上述の手順の順序は、交換、合併、分割することができる。例を挙げれば、先に素材データ３３０を選んだ後で、テンプレートモジュール３１０を選ぶこともできる。または、データを選ぶ時に、同時に関連する手順を行うこともできる。または、パラメータ修正または属性修正の手順を任意に省略することもできる。次に、本発明の手順と特色をより詳細に説明する。
【００２６】
［データ構造］
本発明は、設計上、テンプレートモジュールの概念を融合させ、各種の異なるデータ形式を統合し、双方向性のマルチメディア編集器により使用上の障害を低減させている。上述の機能を達成するため、本発明では、ＸＭＬ標準データ構造などの、高度な互換性を有するデータ構造を使用している。各オブジェクトとパラメータの定義には、いずれも大きな柔軟性をもたせることができ、状況と必要に応じて、プログラム上異なる設計に変更することができる。このため、プログラム修正に必要な費用と時間を大幅に減少させることができる。なお、マルチメディア編集を行うユーザは、どのデータ構造が使用されているかを意識する必要はなく、データ構造の実際の内容を知る必要もない。すなわち、データ構造はユーザにとって、透明（トランスペアレント）なものである。
【００２７】
［テンプレートモジュールの確立］
図２の編集器２００のテンプレートモジュールデータベース２２０は、少なくとも一つのテンプレートモジュール２２２を有し、ユーザが選択し編集することができる。テンプレートモジュール２２２は、一連の編集と整理により、各種の目的に合わせて設計され、適切な方式で表現されたレイアウトである。編集器２００は、基本テンプレート、双方向テンプレート、教育テンプレート、展示テンプレート、人気テンプレート、画像再生テンプレートなど、一つ以上のテンプレートモジュール２２２を、各種の異なる状況と応用により分類することができる。各テンプレートモジュール２２２は、少なくとも一つのテンプレート素子２２４を有す。図４は、テンプレートモジュール２２２の例である。図４のテンプレートモジュール２２２は、双方向エリア２１０と４つのテンプレート素子２２４、２２５、２２６、２２７を有す。テンプレートモジュール２２２は、テンプレートモジュール２２２の関連レイアウトの調整に用いる少なくとも一つのテンプレートパラメータを有する。本実施例で、テンプレートパラメータは、指定されたテンプレートモジュール２２２の背景図２２３に関する設定を行うために用いられる。その他の実施例においても、その他のテンプレートパラメータを含むことにより、任意のテンプレートモジュールに対し、背景色、背景サイズ、またはバックグラウンドミュージックなどを設定することができる。テンプレート素子２２４〜２２７は、本実施例では図であるが、その他の実施例では、動画、文字、アニメーションなどのその他のデータを使用することも可能である。各テンプレート素子２２４〜２２７は、テンプレートモジュールを分類し、リンクし、または各種の変化効果を設定するのに用いられる、少なくとも一つのテンプレート素子属性を有する。
【００２８】
例を挙げれば、テンプレートモジュール２２２が教育テンプレートである場合、テンプレート素子２２４〜２２７のテンプレート素子属性は、それぞれ「図にリンク」、「ウェブサイトにリンク」、「音楽にリンク」、及び「ヘルプにリンク」などと設定することができる。または、テンプレートモジュール２２２が画像再生テンプレートである場合、テンプレート素子２２４〜２２７のテンプレート素子属性は、それぞれ「音量調整」、「再生開始」、「再生停止」、「再生一時停止」などと設定することができる。その他の状況において、画像フェードインフェードアウト、画像変化、素子位置調整、素子サイズ調整、またはその他の各種マルチメディア情報に必要な機能などの、その他のテンプレート素子属性を設定することもできる。つまり、テンプレートモジュール２２２の各テンプレート素子２２４〜２２７は、状況に応じて、任意のテンプレート素子属性を設定することができ、これにより各種の異なる要求を達成することができる。また、当業者には分かるように、本発明で提供するテンプレートモジュール２２２は、ユーザの必要に応じ、事前に設定され分類されたテンプレートモジュールに限られず、新しいテンプレートモジュール２２２を自ら設定することもでき、しかも自ら設定したテンプレートモジュール２２２は保存して後から使用することもできる。なお、テンプレートモジュール２２２のテンプレート素子２２４〜２２７と双方向エリア２１０のレイアウト配置は、各種の異なる状況に応じて変更可能であり、かつより多くのまたはより少ないテンプレート素子を使用することもできる。図４のレイアウト配置は、一つの例でしかなく、本発明の範囲を制限するものではない。
【００２９】
上述の各種テンプレートモジュール２２２、及びテンプレートモジュール２２２が有するテンプレート素子２２４により、互換性が高く、かつ様々な効果をもつマルチメディア情報をユーザが簡単に作成することができる。
【００３０】
［素材データ］
本発明で開示するマルチメディア編集器２００では、テンプレートモジュールを使用する以外に、ユーザは様々な素材データ２３２を使用して完成品の内容を豊富なものにすることができる。例えば、素材データ２３２には、文字、画像、動画、アニメーション、音声などの各種の異なるデータが含まれる。編集器２００には、多くの異なる素材データ２３２を内蔵することができるが、ユーザは、その他の素材データを自らインポートまたは確立して、後から使用することも可能である。
【００３１】
［ユーザインターフェース］
図５は、ユーザインターフェース２５０をより詳しく説明するための図である。ユーザインターフェース２５０には、テンプレート表示エリア２５２、プレビューエリア２５４、素材表示エリア２５６、及びパラメータ調整エリア２５８が含まれる。テンプレート表示エリア２５２は、図２のテンプレートモジュールデータベース２２０の各種テンプレートモジュール２２２を表示する。図のように、ユーザは必要に応じてテンプレート表示エリア２５２に示すテンプレートモジュール２２２を選択することができる。例えば、ドラッグアンドドロップ操作を利用して、図の矢印Ａのように、テンプレートモジュール２２２をプレビューエリア２５４にドラッグすると、プレビューエリア２５４に拡大されたテンプレートモジュール２２２が表示され、ユーザが編集を行うことができる。素材表示エリア２５６は、図２の素材データベース２３０の各種素材データ２３２を表示するのに用いられる。同様に、ユーザは、必要に応じて素材データ２３２を選択することができ、例えば、図の矢印Ｂのように、ドラッグアンドドロップ換作を利用して、素材データ２３２をプレビューエリア２５４に関連付けることができる。パラメータ調整エリア２５８は、テンプレートパラメータ、テンプレート素子パラメータ、及び素材パラメータなど、各種パラメータの調整に用いられ、ユーザはテンプレート素子属性を利用して、テンプレート素子２２４と双方向エリア２１０の双方向な関係を設定することができる。図５は、統合型のパラメータ調整エリア２５８であるが、当業者には分かるように、本発明は分散型のパラメータ調整エリア２５８も使用することができ、またはプルダウンメニュー、マウス右クリックメニューなどのその他の類似した調整インターフェースも使用することができる。図５のパラメータ調整エリア２５８は、色選択、サイズ設定、リンク設定、文字入力など、いくつかの調整可能なパラメータの例である。しかし、これらは、いずれも実際の設計の必要に応じて調整することができ、かつユーザインターフェースのレイアウト配置も、図５に示されたものに限られたものではない。
【００３２】
［転換メカニズム］
テンプレートモジュール２２２と素材データ２３２を上述の方式で編集し、プレビューエリアに表した後、図２の転換メカニズム２４０が、所定の転換方式でテンプレートモジュール２２２及び素材データ２３２をマルチメディア情報に転換して出力する。選択された出力ファイル形式により、転換メカニズム２４０は適切な転換方式を選択する。例えば、本実施例では、編集器２００は、転換メカニズム２４０を介し、フラッシュファイルを出力する。フラッシュファイルは、広範に使用されている公開ファイル形式であるため、本発明の編集器が生成するマルチメディア情報は使用と頒布に非常に便利であり、高度な互換性を有する。または、本発明は、転換メカニズム２４０を介し、専属ファイル形式のマルチメディア情報を生成して出力することもできる。但し、上述したように、本発明のデータ構造は、ＸＭＬの標準データ構造形式など、互換性の高いデータ構造を使用しているため、非常に高い互換性と使用上の柔軟性を有しており、使用上も非常に便利である。
【００３３】
［編集段階］
図６は、本発明マルチメディア編集方法のフローチャートであり、当業者が、本発明をより明確に理解できるようにするためのものである。図６では、本発明は、テンプレート選択段階６１０、素材データ選択段階６２０、内容編集段階６３０、及びマルチメディア情報出力段階６４０の４つの編集段階に大きく区分されている。第一段階６１０で、テンプレートモジュールが上述の方式で確立される。テンプレートモジュールは、事前に確立しておき、それをユーザに使用させることも、ユーザが自ら確立することもできる。その後、ユーザが必要なテンプレートモジュールを選択する。第二段階６２０で、ユーザは素材データを選択する。素材データには文字データ、画像データ、動画データ、音声データ、アニメーションデータが含まれる。
【００３４】
第三段階６３０では、上述のように、本発明は互換性と柔軟性の高いデータ構造を使用しており、ユーザは、次のように各種パラメータの調整を行うことができる。１）座標位置の調整：座標を介し、各オブジェクトの位置を明確に確定し、充分に運用して、分配しレイアウトすることにより、最適なレイアウト配置を達成することができる。２）背景図の設定：テンプレートパラメータを介し、図を背景として選択し、または特定の色を選んで背景とすることができる。３）文字の修正：マルチメディア情報におけるいかなる文字も、文字サイズ、フォント変更、字の色などのパラメータ調整を介して修正することができる。４）再生設定：アニメーションまたは動画を再生する時、パラメータを介して再生開始時間、終了時間、循環再生などを設定することができる。５）リンク設定：ウェブサイトのリンクまたはその他の画像、ファイル、音楽のリンクを追加して双方向性を高め、インターネットと結合して、リアルタイムで有効な双方向性を実現することができる。６）その他の設定：上述の各種設定は、本発明を理解するための例であり、本発明は、オブジェクトの双方向エリアにおける移動パス、音量サイズ、画像フェードインフェードアウト、オブジェクト縮尺、回転、移動、逆転など、その他のマルチメディア情報の各種パラメータを設定することが可能である。
【００３５】
第四段階６４０では、編集結果について保存または出力を行い、専属ファイル形式として出力し、将来再編集する時に使用し、またはＡＶＩファイル、ＭＰ３ファイル、ＷＭＶファイル、ＭＯＶファイル、ＳＷＦ（フラッシュ）ファイル、ＸＭＬファイル、ＭＰＧファイルなどの公開ファイル形式として出力する。なお、図６で述べた４つの段階は、本発明の説明に用いるためだけのものであり、本発明がこの特定の順序で行わなければならないわけではない。言い換えれば、そのうちの各種の設定と選択は、その他の順序でも可能である。例を挙げれば、背景図は、テンプレートモジュール選択時に指定することもできる。または、編集中にファイルの出力と保存を選択することもできる。
【００３６】
上述の実施例は、本発明を説明するために用いられるものであり、本発明の技術には、多くの修正と変化が可能である。そのため、本発明は、以上の特定実施例の説明に限られたものではなく、本発明の特許請求の範囲は、すべてのこれらの修正と変化を包括することによって、本発明の精神と範囲に真の意味で適合させるためのものである。
【図面の簡単な説明】
【００３７】
【図１Ａ】公知のマルチメディア情報編集システムのブロック図。
【図１Ｂ】公知のマルチメディア情報編集方式のフローチャート。
【図２】本発明の実施例のマルチメディア編集器のブロック図。
【図３】本発明の実施例のマルチメディア編集方法のフローチャート。
【図４】図２のテンプレートモジュールの概念図。
【図５】図２のユーザインターフェースの概念図。
【図６】マルチメディア編集段階のフローチャート。
【符号の説明】
【００３８】
１０２  画像データ
１０４  文字データ
１０６  画像データ転換器
１０８  文字データ転換器
１０９  マルチメディア転換プログラム
１１０  専用形式ファイル
２００  テンプレート式マルチメディア双方向編集器
２１０  双方向エリア
２２０  テンプレートモジュールデータベース
２２２  テンプレートモジュール
２２３  背景図
２２４，２２５，２２６，２２７  テンプレート素子
２３０  素材データベース
２３２  素材データ
２４０  転換メカニズム
２５０  ユーザインターフェース
２５２  テンプレート表示エリア
２５４  プレビューエリア
２５６  素材表示エリア
２５８  パラメータ調整エリア
【図１Ａ】
2007104627.tif 000003
【図１Ｂ】
2007104627.tif 000004
【図２】
2007104627.tif 000005
【図３】
2007104627.tif 000006
【図４】
2007104627.tif 000007
【図５】
2007104627.tif 000008
【図６】
2007104627.tif 000009